(57)【特許請求の範囲】
【請求項１】
ヘルスケア環境（３）内に位置する医療デバイス（３１、３２）に薬剤ライブラリデータ又は構成データを提供するシステムであって、
前記ヘルスケア環境（３）のローカルネットワーク（３３）と、
患者に薬剤を投与するための少なくとも１つの医療デバイス（３１、３２）であって、前記ヘルスケア環境（３）内に位置し、前記ローカルネットワーク（３３）に接続される、少なくとも１つの医療デバイスと、
を備え、
公衆通信ネットワーク（２）を介して前記ヘルスケア環境（３）の前記ローカルネットワーク（３３）に接続され、前記公衆通信ネットワーク（２）を介して前記少なくとも１つの医療デバイス（３１、３２）に前記薬剤ライブラリデータを提供するように構成される、薬剤ライブラリサーバー（１）を備え、
前記公衆通信ネットワーク（２）はインターネットであり、前記薬剤ライブラリサーバー（１）は、通信デバイス（４０、４１）のウェブクライアント（４００、４１０）と通信するように構成されたウェブサーバー（１０）を保持し、
前記薬剤ライブラリサーバー（１）は、前記少なくとも１つの通信デバイス（４０、４１）にデバイス発見ツール（４１１）を提供するように構成され、該デバイス発見ツール（４１１）は、前記ヘルスケア環境（３）内に設置された前記少なくとも１つの医療デバイス（３１、３２）に関する情報を収集するように動作可能であり、
前記通信デバイス（４０、４１）は、特定のヘルスケア環境（３）内において、デバイス発見ツール（４１）が、前記ヘルスケア環境（３）内に設置されている医療デバイス（３１、３２）に関する情報を収集するとともに、該情報を前記薬剤ライブラリサーバー（１）にアップロードするように動作可能であり、
前記デバイス発見ツール（４１１）は、前記医療デバイスとしてのラック（３１）上に設置された前記医療デバイスとしての輸液ポンプ（３２）に関する情報を抽出し、前記デバイス発見ツール（４１１）は、前記情報を前記薬剤ライブラリサーバー（１）にアップロードするように動作可能であり、
該薬剤ライブラリサーバー（１）は、前記情報を解析し、該情報を該薬剤ライブラリサーバー（１）上に記憶された前記ラック（３１）の位置特定データに関連付けるように動作可能である、
ヘルスケア環境内に位置する医療デバイスに薬剤ライブラリデータ又は構成データを提供するシステム。
【請求項２】
前記システムは、ユーザーが、前記少なくとも１つの通信デバイス（４０、４１）によって、前記公衆通信ネットワーク（２）を介して前記薬剤ライブラリサーバー（１）にアクセスし、それによって、
薬剤ライブラリ（１２３）を作成及び共有し、なお、該薬剤ライブラリ（１２３）は前記少なくとも１つの医療デバイス（３１、３２）によって患者に投与される薬剤に関するデータを含み、及び／又は、
構成（１２２）を作成及び共有し、なお、該構成（１２２）は前記少なくとも１つの医療デバイス（３１、３２）の運用規則を規定し、及び／又は、
治療エリア（１２４）を作成及び共有し、なお、該治療エリア（１２４）は該構成（１２２）及び該薬剤ライブラリ（１２３）の組み合わせに対応し、前記ヘルスケア環境（３）内のサブエリアに割り当てられ、及び／又は、
データセット（１２５）を作成及び共有し、なお、該データセット（１２５）は治療エリア（１２４）のグループを表す、
ことを可能にするように構成されることを特徴とする、請求項１に記載のシステム。
【請求項３】
前記デバイス発見ツール（４１１）は、前記ヘルスケア環境（３）の前記ローカルネットワーク（３３）を、該ローカルネットワークに接続された医療デバイス（３１、３２）を求めて探索することを特徴とする、請求項１又は２に記載のシステム。
【請求項４】
前記少なくとも１つの医療デバイス（３１、３２）の位置特定データに基づいて、該少なくとも１つの医療デバイス（３１、３２）に治療エリア（１２４）が割り当てられることを特徴とする、請求項１〜３のいずれか１項に記載のシステム。
【請求項５】
前記デバイス発見ツール（４１１）によって取得される前記少なくとも１つの医療デバイス（３１、３２）の位置特定データに基づいて、該少なくとも１つの医療デバイス（３１、３２）を識別するバーコード（８）が生成され、該少なくとも１つの医療デバイス（３１、３２）に取り付けられることを特徴とする、請求項１〜４のいずれか１項に記載のシステム。
【請求項６】
前記ヘルスケア環境（３）内に位置する通信デバイス（４１）は、前記少なくとも１つの医療デバイス（３１、３２）の通信インターフェース（３１０）にアクセスするために、該少なくとも１つの医療デバイス（３１、３２）に取り付けられた、該少なくとも１つの医療デバイス（３１、３２）を識別するバーコード（８）をスキャンするように動作可能であることを特徴とする、請求項１〜５のいずれか１項に記載のシステム。
【請求項７】
前記少なくとも１つの医療デバイス（３１、３２）上に前記薬剤ライブラリデータをインストールするために、該薬剤ライブラリデータは前記薬剤ライブラリサーバー（１）から少なくとも１つの通信デバイス（４０、４１）にダウンロードされ、該少なくとも１つの通信デバイス（４０、４１）から前記少なくとも１つの医療デバイス（３１、３２）に転送されることを特徴とする、請求項１〜６のいずれか１項に記載のシステム。
【請求項８】
前記薬剤ライブラリデータを前記少なくとも１つの通信デバイス（４０、４１）から前記少なくとも１つの医療デバイス（３１、３２）に転送するために、前記少なくとも１つの医療デバイス（３１、３２）のバーコード（８）が、前記少なくとも１つの通信デバイス（４０、４１）によってスキャンされ、前記少なくとも１つの医療デバイス（３１、３２）の通信インターフェース（３１０）がアクセスされ、前記薬剤ライブラリデータが前記少なくとも１つの医療デバイス（３１、３２）に転送される、請求項７に記載のシステム。
【請求項９】
前記薬剤ライブラリデータを前記少なくとも１つの医療デバイス（３１、３２）にインストールするために、該薬剤ライブラリデータが前記薬剤ライブラリサーバー（１）から、前記ヘルスケア環境（３）の前記ローカルネットワーク（３３）内に位置する内部配信サーバーにダウンロードされ、該内部配信サーバーから前記少なくとも１つの医療デバイス（３１、３２）に転送される、請求項１〜８のいずれか１項に記載のシステム。
【請求項１０】
前記薬剤ライブラリサーバー（１）は、ＸＭＬフォーマット又はＪＳＯＮ／ＢＳＯＮフォーマットで前記薬剤ライブラリデータを出力するように構成される、請求項１〜９のいずれか１項に記載のシステム。
【請求項１１】
ヘルスケア環境（３）内に位置する医療デバイス（３１、３２）に薬剤ライブラリデータを提供する方法であって、
患者に薬剤を投与するための少なくとも１つの医療デバイス（３１、３２）に前記薬剤ライブラリデータをインストールすることであって、前記少なくとも１つの医療デバイス（３１、３２）は、前記ヘルスケア環境（３）内に位置し、該ヘルスケア環境（３）のローカルネットワーク（３３）に接続されることを含み、
前記薬剤ライブラリデータを、公衆通信ネットワーク（２）を介して前記ヘルスケア環境（３）の前記ローカルネットワーク（３）に接続された薬剤ライブラリサーバー（１）によって前記少なくとも１つの医療デバイス（３１、３２）に提供することを含み、
前記薬剤ライブラリサーバー（１）は、前記少なくとも１つの通信デバイス（４０、４１）にデバイス発見ツール（４１１）を提供するように構成され、該デバイス発見ツール（４１１）は、前記ヘルスケア環境（３）内に設置された前記少なくとも１つの医療デバイス（３１、３２）に関する情報を収集するように動作し、
前記通信デバイス（４０、４１）は、特定のヘルスケア環境（３）内において、デバイス発見ツール（４１）が、前記ヘルスケア環境（３）内に設置されている医療デバイス（３１、３２）に関する情報を収集するとともに、該情報を前記薬剤ライブラリサーバー（１）にアップロードするように動作し、
前記デバイス発見ツール（４１１）は、前記医療デバイスとしてのラック（３１）上に設置された前記医療デバイスとしての輸液ポンプ（３２）に関する情報を抽出し、前記デバイス発見ツール（４１１）は、前記情報を前記薬剤ライブラリサーバー（１）にアップロードするように動作することを特徴とする、
ヘルスケア環境内に位置する医療デバイスに薬剤ライブラリデータを提供する方法。
【発明の詳細な説明】
【技術分野】
【０００１】
本発明は、請求項１のプリアンブルに記載の、ヘルスケア環境内に位置する医療デバイスに薬剤ライブラリデータを提供するシステムと、薬剤ライブラリデータを提供する方法とに関する。
【背景技術】
【０００２】
この種のシステムは、ヘルスケア環境のローカルネットワークと、患者に薬剤を投与するための少なくとも１つの医療デバイスとを備える。この少なくとも１つの医療デバイスはヘルスケア環境内に位置し、ローカルネットワークに接続される。
【０００３】
通常、輸液ポンプ等の、患者に薬剤を投与するための医療デバイスは、ヘルスケア環境、例えば病院施設内の様々なロケーションに設置される。そのような医療デバイスは、例えば、病院の病棟（治療ユニット）の様々な部屋又は手術室内に位置する場合がある。最近では、そのような医療デバイスは、ヘルスケア環境内に位置するサーバーにおいてホスティングされる病院管理システムと通信するためにローカルネットワークに接続される。例えば、ローカルネットワークへの通信リンクとしての役割を果たすラック上に輸液ポンプのグループを設置して、輸液ポンプがラックを介してローカルネットワークに接続され、ヘルスケア環境内、例えば病院内のサーバー上の病院管理システムと、ローカルネットワーク、例えばローカルエリアネットワーク（ＬＡＮ）又は無線ローカルエリアネットワーク（ＷＬＡＮ）を介して通信するように動作可能であるようにすることができる。
【０００４】
患者に薬剤を投与するためのこの種の医療デバイスの動作を制御するために、いわゆる薬剤ライブラリがそのような医療デバイス上に設置される。薬剤ライブラリは、薬剤、薬剤の成分、適合性の規則及び投与規則等を特徴付ける薬剤ライブラリデータを含む。薬剤ライブラリは、例えば薬剤のリストを含むことができ、このリストにおいて、各薬剤は、例えば輸液デバイスによる投与の境界値を規定するパラメーターと関連付けられる。そのような境界値は、例えば、特定の薬剤の投与の最小投薬量及び最大投薬量、薬剤の投与の最小速度及び最大速度、投与の最小時間及び最大時間等に関係することができる。さらに、そのような境界値は、患者の年齢、体重及び性別に依拠する場合があり、このため、患者に固有である場合がある。
【０００５】
そのような薬剤ライブラリを用いることによって、特定の薬剤を患者に投与するための輸液ポンプ等の医療デバイスの動作は、医療デバイスが、薬剤ライブラリによって課される境界内でのみ看護師によって操作することができるように制御される。これにより、看護師は、患者に薬剤を投与するために、医療デバイスに対し薬剤を識別し、この際、医療デバイスは、その医療デバイスにインストールされた薬剤ライブラリからそれぞれの規則及び境界値を自動的にロードする。
【０００６】
現在、そのような薬剤ライブラリは、ヘルスケア環境内、例えば病院内にローカルでインストールされる。そのような薬剤ライブラリは、例えば、病院内のパーソナルコンピューター（ＰＣ）又はサーバー上のソフトウェアとしてインストールされ、このＰＣ又はサーバーから、薬剤ライブラリを病院の様々な病棟に位置する医療デバイスにインストールするために、そのような医療デバイスに配信することができる。
【０００７】
現在用いられているシステムでは、ヘルスケア環境内で薬剤ライブラリソフトウェアを配信すること、特に、ヘルスケア環境全体にわたって薬剤ライブラリソフトウェアを最新に保つことは煩雑である。これは、ヘルスケア環境内、例えば特定の病院内で薬剤ライブラリの複数の変形版が用いられることへとつながる場合があり、一貫性がない可能性があるデータを用いて薬剤ライブラリの多重参照が行われる可能性に起因して、安全性に危険が及ぼされる。
【０００８】
さらに、現時点で、異なるヘルスケア環境間、例えば異なる病院間で薬剤ライブラリを容易に共有することは不可能である。この点に関して、異なる病院（病院事業者等の共通ヘルスケアグループに属する可能性がある）間の薬剤ライブラリの共有は、薬剤パラメーター化の大部分が病院間で共通であり、患者のデモグラフィック（特に、患者の年齢、体重及び性別）によって定型化されるので、有利であり得る。このため、現在のシステムは、薬剤のパラメーター化の標準化のためのハードルを課す。
【０００９】
特許文献１は、医療デバイスに関連付けられた薬剤管理ユニットを備える薬剤管理システムを開示している。薬剤管理ユニットは、第１の入力手段からの薬剤注文情報を、第２の入力手段からの機械可読払出情報と比較して、第１の入力手段からの情報が第２の入力手段からの情報と一致する場合にのみ薬剤注文を医療デバイスにダウンロードするように設定される。薬剤管理ユニットは、ユーザーが薬剤ライブラリ全体及び個々の薬剤ライブラリの値をインポート、エクスポート及び編集して、病院のプリファレンスに従って薬剤ライブラリを制御及びカスタマイズすることを可能にする薬剤ライブラリエディターも備える。
【００１０】
特許文献２から、ユーザーデバイスと連動して医療デバイスとインタラクトするコンピューター実施方法が既知である。この方法において、認定された医療アプリケーションがユーザーデバイスにおいて受信され、セキュアなメモリセグメントに記憶される。医療デバイスにおいて認可された医療アプリケーションを実行するために、ユーザーデバイスから医療デバイスまで通信リンクが確立される。
【先行技術文献】
【特許文献】
【００１１】
【特許文献１】国際公開第２００５／０３６４４７号
【特許文献２】国際公開第２０１０／１３２６１７号
【発明の概要】
【発明が解決しようとする課題】
【００１２】
本発明の目的は、特定のヘルスケア環境内の医療デバイス間及び異なるヘルスケア環境にわたる使用及び配信のために、薬剤ライブラリデータを容易に作成、編集及び共有することを可能にする、ヘルスケア環境内に位置する医療デバイスに薬剤ライブラリデータを提供するシステム及び方法を提供することである。
【課題を解決するための手段】
【００１３】
この目的は、請求項１に記載の特徴を含むシステムによって達成される。
【００１４】
したがって、公衆通信ネットワークを介してヘルスケア環境のローカルネットワークに接続され、公衆通信ネットワークを介して少なくとも１つの医療デバイスに薬剤ライブラリデータを提供するように構成される薬剤ライブラリサーバーが提供される。
【００１５】
本発明は、薬剤ライブラリデータを提供するためのウェブベースのサービスを提供するという着想に基づく。本明細書における薬剤ライブラリデータは、インターネット等の公衆通信ネットワーク内に位置する薬剤ライブラリサーバー上に含まれ、記憶される。ウェブベースのサービスによって、ユーザーが薬剤ライブラリをオンラインで作成し、特定のヘルスケア環境内の及び様々なヘルスケア環境にわたる医療デバイス間で薬剤ライブラリデータを容易に共有することが可能になる。さらに、アメリカ国立医学図書館等の外部データベースからの情報等の外部情報を作成し、共有し、医療デバイスにマッピングすることが可能になる。そのようなウェブベースのサービスによって、ヘルスケア環境内の及び幾つかのヘルスケア環境にわたる薬剤ライブラリを容易に管理することができ、薬剤ライブラリデータの容易な配信及び更新が可能になる。
【００１６】
本文との関連で、薬剤ライブラリは薬剤のリストとして理解され、このリストにおいて、薬剤のそれぞれが特定の薬剤を患者に投与するための運用上の境界を規定するパラメーターに関連付けられる。そのようなパラメーターは、患者のデモグラフィック、例えば、患者の年齢、体重又は性別に依拠することができる。
【００１７】
さらに、本文との関連で、ローカルネットワークは、非公衆通信ネットワーク（イントラネットとも呼ばれる）として理解されるものとする。この点において、ローカルネットワークはインターネット等の公衆通信ネットワークと区別される。
【００１８】
ヘルスケア環境は、例えば病院等のヘルスケア機関とすることができる。病院は通常、それぞれ複数の病室を有する或る特定の数の病棟を有する。一方、ヘルスケア環境は、例えば共通ローカルネットワーク（イントラネット）を用いて単一病院事業者によって運用される単一のヘルスケアグループに属する幾つかの病院のグループでもあり得る。
【００１９】
ヘルスケア環境内で、患者に薬剤を投与するための様々な医療デバイスが存在し得る。医療デバイスは、例えば、シリンジポンプ又は容積ポンプ等の輸液ポンプとすることができる。医療デバイスは、単一の製造者からのものである場合もあるし、様々な製造者からのものである場合もある。
【００２０】
医療デバイスは、１つ又は複数の輸液ポンプを接続することができるラックとして構成することもできる。この場合、ラックは、輸液ポンプを保持し、ヘルスケア環境の病院管理システムとの通信のために輸液ポンプをローカルネットワークに接続するための通信リンクとしての役割を果たす。この場合、ラック及び輸液ポンプの双方が医療デバイスを形成し、この医療デバイスに薬剤ライブラリデータをインストールすることができる。（薬剤ライブラリデータは、例えば、ラックに接続された輸液ポンプへの配信のためにラックにインストールすることができる）。
【００２１】
システムは、ウェブベースのサービスを提供することによって、薬剤ライブラリの容易な作成、編集及び共有を可能にする。本明細書におけるシステムは、公衆通信ネットワーク、例えばインターネットを介して薬剤ライブラリサーバーと通信するためのウェブクライアントを含む１つ又は複数の通信デバイスを備えることができる。通信デバイスは、パーソナルコンピューター（ＰＣ）、ノートブックコンピューター、携帯情報端末（ＰＤＡ）、移動電話、又はインターネットへの接続を可能にする任意の他のデバイスによって構成することができる。そのような通信デバイスを介して、ユーザーは薬剤ライブラリサーバーに接続して、薬剤ライブラリを作成し、薬剤ライブラリデータを編集し、作成された薬剤ライブラリの共有を管理することができる。
【００２２】
特に、システムは、通信デバイスによって、ユーザーが公衆通信ネットワークを介して薬剤ライブラリサーバーにアクセスして、
薬剤ライブラリを作成及び共有し、
構成を作成及び共有し、なお、本明細書における構成は医療デバイスの運用規則を規定し、
治療エリアを作成及び共有し、なお、治療エリアは構成及び薬剤ライブラリの組み合わせに対応し、ヘルスケア環境（例えば、病院）内のサブエリア（例えば、病棟）に割り当てられ、及び／又は、
データセットを作成及び共有し、なお、データセットは治療エリアのグループを表し、このため病院等のヘルスケア環境の構造をマッピングする、
ことを可能にするように構成される。
【００２３】
ユーザーは更に、例えば、事前に規定された協働メカニズムによって作成されたデータを病院環境の外部に公開することも可能にされ得る。
【００２４】
ユーザーは、公衆通信ネットワーク、例えばインターネットを介して薬剤ライブラリサーバーにアクセスすることによって、ヘルスケア環境内で用いられる薬剤ライブラリを管理し、薬剤ライブラリの配信及び共有特性を管理することができる。本明細書におけるユーザーは、インターネットを介して自身の個人設定を編集し、様々なユーザー、治療ユニット、病院施設、又はヘルスケアグループ間の薬剤ライブラリデータの共有を可能にするように協働設定を編集し、病院の病棟等のサブエリアに関係する治療ユニットを規定することによって特定の病院内での薬剤ライブラリの配信を規定し、又は病院の薬剤ライブラリ構造全体若しくは更には病院のグループをマッピングする完全なデータセットを作成することを可能にされ得る。本明細書におけるユーザーは、薬剤ライブラリデータに加えて、輸液ポンプ等の医療デバイスに関係する構成データも設定することができる。そのような構成データは、いわゆる構成に含まれ、例えば、医療デバイスの表示エリアをカスタマイズするか又は特定のセキュリティ特徴のパラメーターを規定する、医療デバイスのための運用規則を設定する。
【００２５】
薬剤ライブラリサーバーは、公衆通信ネットワーク内、したがって、パブリックドメイン、例えばインターネットドメイン内に位置する。対照的に、医療デバイスはローカルネットワーク内に位置し、このため、特定のヘルスケア環境に限定される非公衆プライベートドメイン内にある。このため、（パブリックドメイン内の）薬剤ライブラリサーバーは、ローカルネットワークの非公衆環境内に位置する医療デバイスと自由に通信することができず、このため、それ自体では、例えば特定のヘルスケア環境内の医療デバイスの位置特定に関して情報を容易に得ることができない。一方、薬剤ライブラリデータ及び同様に他の例えば構成データを医療デバイスに転送するには、例えば医療デバイスのネットワークアドレス（例えばいわゆるＩＰアドレス）によって医療デバイスを識別するために、ローカルネットワークのいずれの場所に医療デバイスが位置するかを知らなくてはならない。このために、薬剤ライブラリサーバーは、（例えばアセット追跡システム又はローカルサービス配信ポイントデバイステーブルから）特定のヘルスケア環境内に設置されている医療デバイスに関する情報を収集するためにそのヘルスケア環境内の通信デバイスによって実行されるデバイス発見ツールを提供することができる。デバイス発見ツールは、通信デバイスにダウンロードするために薬剤ライブラリサーバー上に提供することができる。一方、通信デバイスが、基本となるソフトウェアをダウンロードすることなく、薬剤ライブラリサーバー上にインストールされたデバイス発見ツールを実行することを可能にされることも考えられる。次に、特定のヘルスケア環境内で通信デバイス上のデバイス発見ツールを実行することによって、特定のヘルスケア環境内に設置されている医療デバイスに関する情報を収集することができ、そのような情報を薬剤ライブラリサーバーにアップロードし、薬剤ライブラリサーバーがヘルスケア環境のローカルネットワーク内の医療デバイスに関する位置特定情報を得るようにすることができる。
【００２６】
デバイス発見ツールは、特定のヘルスケア環境に接続された医療デバイスの、ネットワーク内におけるそれぞれのアドレスを識別するために（このためそれらのネットワークアドレスを得るために）、それらの医療デバイスについてその特定のヘルスケア環境のローカルネットワークをスキャンするように動作可能とすることができる。デバイス発見ツールは更に、例えば輸液ポンプを保持するラックのログファイルから、ラックに現在設置されているか又は以前に設置されていた輸液ポンプに関する情報を抽出するように動作可能とすることができる。ログファイルから、デバイス発見ツールは例えば、特定の輸液ポンプが特定のラックに接続されていたか又は特定のラックから切り離されていたときを認識することができる。代替の方法は、選択された治療エリアの使用のマーカーを記録するポンプ内部の履歴ファイルを用いることである。この際、そのような情報を薬剤ライブラリサーバーにアップロードし、情報を解析し、その情報を薬剤ライブラリサーバー上に記憶されているラックの位置特定データに関連付けることによって、治療ユニット又は病院施設内の輸液ポンプの移動を追跡することができる。ラックの位置特定データは、例えば、病院施設内の治療ユニット内のいずれの病棟のいずれの部屋にラックが設置されているかを識別することができ、それによって、輸液ポンプがどの時点でラックに接続されていたかがわかっているとき、そのようなロケーションにおいてどの時点で輸液ポンプが用いられていたかを導出することができる。
【００２７】
デバイス発見ツールの実行又はアセット追跡システムから医療デバイスの位置特定が既知である場合、医療デバイスの既知の位置特定に基づいて、治療エリアを医療デバイスに自動的に割り当てることも可能になる。この点に関する治療エリアは、病院施設の治療ユニットに関係することができ、薬剤ライブラリ及び構成の或る特定の組み合わせに関連付けられる。したがって、予め規定された治療エリアを医療デバイスの位置特定に依拠してその医療デバイスに自動的に割り当てることによって、医療デバイスは、その治療エリアに関連付けられた治療ユニット内に設置され用いられると、特定の薬剤ライブラリを用いるようにされる。
【００２８】
さらに、デバイス発見ツールによって、メンテナンス追跡、ソフトウェアステータス及びエラーログの追跡も行い、医療デバイスの使用に関する統計データを提供することができる。
【００２９】
さらに、デバイス発見ツールによって得られる医療デバイスの位置特定データに基づいて、少なくとも１つの一意の識別データを含む、医療デバイスを識別するバーコードを生成し、印刷し、医療デバイスに取り付けることができる。バーコード生成のために、ＱＲコード（登録商標）ＡＰＩ（ＡＰＩ：アプリケーションプログラミングインターフェース）としても知られる、いわゆるＱＲコード（登録商標）を作成するオンラインツールを用いることができる。バーコード内に含まれる情報は、（例えば、一意の識別子及びリアルタイムのロケーション追跡サービスとのやりとりを用いて、例えばベッド番号、病室番号、病棟名、治療ユニット名及び病院施設名を得ることによって）ヘルスケア環境内の医療デバイスのロケーション及びローカルネットワーク内の識別情報（例えばＩＰアドレスを提供する）を識別する役割を果たすことができる。発見ツールによって、医療デバイスを識別及び位置特定するためのバーコードを、用いることが容易な形式で作成し、印刷し、医療デバイスに取り付けることができ、それによって、薬剤が医療デバイスによって投与されるときに、例えば看護師によって、医療デバイス、例えば輸液ポンプの識別を容易に行うことができる。
【００３０】
医療デバイスを識別する（及び、上記で述べた方式で又は任意の他の既知の方式で生成される）バーコードを用いて、医療デバイスへの薬剤ライブラリデータの転送を容易にすることもできる。このために、スマートデバイス（スマートフォン等）等の通信デバイス、又はヘルスケア環境内に位置し、ローカルネットワークに接続される別の携帯用デバイスは、医療デバイスを識別するために医療デバイスに取り付けられたバーコードをスキャンするように動作可能とすることができる。バーコードによって、医療デバイスの通信インターフェース（例えば、ウェブインターフェース）を介して医療デバイスにデータを転送するために、そのような通信インターフェースへの通信リンクを確立することができる。
【００３１】
このために、第１のステップにおいて、薬剤ライブラリデータは、例えば薬剤ライブラリサーバーから通信デバイスにダウンロードすることができる。第２のステップにおいて、通信デバイスは、薬剤ライブラリデータがインストールされることになる医療デバイスのバーコードを読み取り、このバーコードにより、通信デバイスは医療デバイスの通信インターフェース（例えば、ウェブインターフェース）に誘導される。次に、通信インターフェースを介して、薬剤ライブラリデータが医療デバイスに転送され、このようにして医療デバイス上にインストールされる。
【００３２】
薬剤ライブラリサーバーから特定の医療デバイスに薬剤ライブラリデータを直接インストールすることも考えられる。一方、通信デバイス及び医療デバイスのウェブインターフェースを介した迂回を用いることによって、医療デバイスが患者に薬剤を投与する動作を行う間、医療デバイスのソフトウェア更新が行われないことを確実にすることができる。
【００３３】
代替的な手法では、通信デバイスと、薬剤ライブラリデータを医療デバイスに転送するためのウェブインターフェースとを用いるのではなく、ヘルスケア環境のローカルネットワーク内に位置する内部配信サーバーを用いることができる。例えば、内部配信サーバーは、ローカルネットワーク内の医療デバイスに関係する新たな薬剤ライブラリデータが利用可能であるときはいつでも、薬剤ライブラリサーバーからのメッセージを受信することができる。次に、そのような新たなデータは、薬剤ライブラリサーバーから内部配信サーバーにダウンロードされる。内部配信サーバーは、追跡可能性及びデータのロギングの目的で以前のデータをアーカイブするように構成することができる。配信サーバーは、ヘルスケア環境のローカルネットワーク内に位置する全ての医療デバイスのリストを含む。輸液ポンプ等の医療デバイスがローカルネットワークに接続するときはいつでも、内部配信サーバーは自身のリストに対して医療デバイスを検証し、医療デバイスにインストールされた薬剤ライブラリデータのバージョン及び新たなデータとの適合性をチェックし、新たなデータが適合する場合、その新たな薬剤ライブラリデータを医療デバイスに転送する。
【００３４】
さらに、内部配信サーバーは、内部配信サーバー上に実装されるウェブサーバーを含むことができる。ウェブサーバーは、１つ又は複数の医療デバイスに関するトランザクションのステータスに関する情報を通信及び中継し、それによって例えば、医療デバイス上に現在インストールされている薬剤ライブラリデータのバージョンを、ウェブサーバーを介してチェックすることができる。
【００３５】
薬剤ライブラリデータがラックに接続された複数の輸液ポンプに転送される場合、上記で概述した手順を用いて、まず薬剤ライブラリデータをラックに転送することができる。次に、ラックは、薬剤ライブラリデータをラックに接続された輸液ポンプに別個のステップで、場合によっては通信デバイスによって促されて配信し、取り付けられた輸液ポンプへの薬剤ライブラリデータの配信が、通信デバイスからの明示的な命令時にのみ実行されるようにすることができる。
【００３６】
薬剤ライブラリサーバーは、有利には、自身の薬剤ライブラリデータを共通のＸＭＬ又はＪＳＯＮ／ＢＳＯＮフォーマット（ＸＭＬ：拡張可能マークアップ言語、ＪＳＯＮ：ＪａｖａＳｃｒｉｐｔ（登録商標）オブジェクト表記法、ＢＳＯＮ：バイナリＪＳＯＮ）において出力することができるか、又は代替的にはセキュアな独自仕様のデータフォーマットで出力することができる。広く知られた一般的なフォーマットで薬剤ライブラリデータを出力することによって、この種の薬剤ライブラリサーバーは、或る特定の製造者によるインストールの特定のプリファレンス及び設定と無関係に読み取り可能な出力を提供することにより、様々な製造者の医療デバイスと接続して用いることができる。医療デバイスは、データの完全性をチェックし、独自の運用規則組に対しコンテンツを検証することを担当する。
【００３７】
上記の目的はまた、ヘルスケア環境内に位置する医療デバイスに薬剤ライブラリデータを提供する方法によって達成される。本方法は、患者に薬剤を投与するための少なくとも１つの医療デバイスに薬剤ライブラリデータをインストールするステップを含む。少なくとも１つの医療デバイスは、ヘルスケア環境内に位置し、このヘルスケア環境のローカルネットワークに接続される。そのような方法において、薬剤ライブラリデータは、公衆通信ネットワークを介してヘルスケア環境のローカルネットワークに接続された薬剤ライブラリサーバーよって少なくとも１つの医療デバイスに提供される。
【００３８】
本発明によるシステムに関して上記で説明した利点及び有利な実施形態は、上記の方法にも等しく適用可能であり、この点に関して、上記の説明が参照されるものとする。
【００３９】
本発明の基礎をなす着想を、図面に示す実施形態を参照して以下により詳細に説明する。
【図面の簡単な説明】
【００４０】
【図１】医療デバイスに薬剤ライブラリデータを提供するシステムの概略図である。
【図２】システムの薬剤ライブラリサーバーの概略図である。
【図３】薬剤ライブラリデータを提供するために、ウェブベースのサービス内でユーザープロファイルを作成する機能の概略図である。
【図４】ユーザーアカウントの概略図である。
【図５】薬剤ライブラリデータを提供するための、ウェブベースのサービス内での協働設定の概略図である。
【図６】薬剤ライブラリデータを提供するための、ウェブベースのサービス内での薬剤ライブラリ作成の概略図である。
【図７】薬剤ライブラリデータを提供するための、ウェブベースのサービス内での構成作成の概略図である。
【図８】薬剤ライブラリデータを提供するための、ウェブベースのサービス内での治療エリア作成の概略図である。
【図９】薬剤ライブラリデータを提供するための、ウェブベースのサービス内でのデータセット組成の概略図である。
【図１０】薬剤ライブラリデータを提供するための、ウェブベースのサービス内でのデータセット作成の概略図である。
【図１１】薬剤ライブラリデータを提供するために、ウェブベースのサービスと接続して用いられるデバイス発見ツールの機能の概略図である。
【図１２】ローカルネットワークにおいて医療デバイスを割り当てるデバイス発見ツールの機能の概略図である。
【図１３】薬剤ライブラリデータを提供するための、ウェブベースのサービス内の医療デバイス及び医療デバイスの分類の概略図である。
【図１４】医療デバイスを識別するための、その医療デバイスにアタッチされるバーコードの生成を容易にするデバイス発見ツールの機能の概略図である。
【図１５】バーコードの例を示す図である。
【図１６】薬剤ライブラリデータを医療デバイスに転送するための概略シーケンス図である。
【発明を実施するための形態】
【００４１】
図１は、ヘルスケア環境３内に位置する医療デバイス３１、３２に薬剤ライブラリデータを提供するシステムの概略図を示す。
【００４２】
この点に関するヘルスケア環境３は、例えば病院とすることができる。病院は、様々な外来、科、病棟（治療ユニット）及び手術施設等を有するように編成することができる。病院全体にわたって、患者に薬剤を投与する役割を果たす複数の医療デバイス３１、３２を分散させることができる。そのような医療デバイスは、ラック３１に接続された輸液ポンプ３２とすることができる。ラック３１は、一方では輸液ポンプ３２のための機械的担体としての役割を果たし、他方では輸液ポンプ３２と病院ローカルネットワーク３３との間の通信を容易にする通信リンクとしての役割を果たす。ラック３１及びローカルネットワーク３３（例えばローカルエリアネットワーク（ＬＡＮ）として設定される）を介して、輸液ポンプ３２を病院管理システムに接続し、このため、病院ローカルネットワーク３３内の輸液ポンプ３２の集中型管理を可能にすることができる。
【００４３】
図１に示すシステムは、薬剤ライブラリデータを医療デバイス３１、３２に提供するためのウェブベースのサービスを提供する。薬剤ライブラリは、従来から知られているように、患者に薬剤を投与するための医療デバイス３１、３２に規則を設ける役割を果たす。特に、輸液デバイス３２との関連における薬剤ライブラリは、各薬剤が、その特定の薬剤を患者に投与するための輸液デバイス３２の境界値を規定し、特徴付け、課すパラメーターに関連付けられる、薬剤のリストを含む。例えば、そのような境界値は、薬剤の投薬量、投与速度及び投与時間に関係することができ、異なる薬剤について、また異なるタイプの患者について、例えば患者の年齢、体重及び性別に依拠して、変動することができる。
【００４４】
薬剤ライブラリは、医療デバイス３１、３２、特に輸液ポンプ３２上にインストールされ、輸液ポンプ３２の動作中、薬剤ライブラリによって或る特定の薬剤について設定されたパラメーターが適用されるようにする。例えば、看護師は、或る特定の薬剤について適用された薬剤ライブラリによって規定される投与速度の範囲外の投薬速度を選択することができない。或る特定の薬剤が患者に投与される場合、看護師は、薬剤ライブラリによって規定される境界内でのみ投与パラメーターを選択することができる。
【００４５】
通常、薬剤ライブラリは、ヘルスケア環境３内、例えば病院管理システム内のコンピューター上にローカルにインストールされ、医療デバイス３１、３２にローカルに配信される。これによって、異なる医療デバイス３１、３２上に薬剤ライブラリの複製の変形版をインストールさせることなくヘルスケア環境３全体にわたって新たな薬剤ライブラリ又は更新された薬剤ライブラリを配信することが煩雑になる。
【００４６】
この問題は、薬剤ライブラリデータを提供するためのウェブベースのサービスを提供することによって、薬剤ライブラリサーバー１がパブリックドメイン内に設けられるという点で克服される。薬剤ライブラリサーバー１は、公衆通信ネットワーク２、例えばインターネットを介してヘルスケア環境３内の通信インターフェース３０、例えば、ルーターに接続することもできるし、ローカル通信ネットワーク３３に直接接続することもできる。公衆通信ネットワーク２に接続する場合、薬剤ライブラリサーバー１は、病院ネットワーク機器（例えば、ヘルスケア環境３内のルーター等の通信インターフェース３０）を通じて医療デバイス３１、３２又は配信サーバー３４とインタラクトすることができる。ローカルネットワーク３３に直接接続する場合、薬剤ライブラリサーバー１は、医療デバイス３１、３２又は配信サーバー３４と直接インタラクトすることができる。双方の場合に、薬剤ライブラリサーバー１は、公衆通信ネットワーク２を通じて外部サービス５とインタラクトすることができる。薬剤ライブラリサーバー１は、ウェブサーバー１０と、通信インターフェース（ウェブインターフェースコンポーネントインターフェース）１１と、データベースコンポーネントインターフェース１２とをホスティングする。
【００４７】
薬剤ライブラリサーバー１は、ウェブサーバー１０を介して、例えば、ＰＤＡ又は携帯用コンピューター等の携帯用デバイスとして構築された通信デバイス４０、４１におけるウェブクライアント４００、４１０にデータを提供する。
【００４８】
ウェブインターフェースコンポーネントインターフェース１１は、例えば、ハイパーテキスト転送プロトコル（ＨＴＴＰ）によって、（内部又は外部の）配信サーバー３４とのインタラクションのための及び／又は直接医療デバイス３１、３２へのインターフェースを提供する。ウェブインターフェースコンポーネントインターフェース１１は、薬剤ライブラリサーバー１に関するデータの作成点であるホスティングされるサービス上に存在する。薬剤ライブラリサーバー１から医療デバイス３１、３２までのデータエクスポートルートは、ＶＰＮ接続を介してヘルスケア環境３内のローカル配信点までであるか、又はデータを、スマートデバイス、ＰＣ若しくはラップトップ等の通信デバイス４０、４１にダウンロードし、その後、内部的に通信デバイス４０、４１から１つ又は複数の医療デバイス３１、３２に転送することができる。ローカルヘルスケア環境３内のウェブインターフェースルートは、配信サーバー３４から治療エリアサーバー、ラック（支柱）３１又は輸液デバイス（ポンプ）３２までとすることができる。これは全て、病院等のインフラストラクチャ、及びそのＩＴ能力に依存する。
【００４９】
データベースコンポーネントインターフェース１２は、薬剤ライブラリデータと、ウェブベースのサービス内で提供される医療デバイス３１、３２に関係する他のデータとを含むデータベースへのアクセスを提供する。
【００５０】
薬剤ライブラリサーバー１によって提供されるウェブベースのサービスは、特定の製造者又は普遍的に様々な製造者の医療デバイス３１、３２、特に輸液デバイスをサポートする役割を果たす。本明細書における薬剤ライブラリサーバー１は、製品の知識及び展開、クライアント管理及びアカウント、製品サービス、並びに販売を組み合わせるデータベースコンポーネントを運用する。薬剤ライブラリサーバー１は、管理されたクライアント空間内でオンラインの薬剤ライブラリの作成、アップロード、ダウンロード及び／又は管理を可能にする。クライアント空間は、病院全体、特定のサービス又は個々のユーザーに関係することができる。ウェブベースのサービスは、ウェブクライアント４００、４１１を介して薬剤ライブラリサーバー１にアクセスすることができる移動デバイス、スマートデバイス、ＰＣ又はラップトップコンピューター等の任意の通信デバイス４０、４１への薬剤ライブラリのインポート又はエクスポートを可能にする。薬剤ライブラリサーバー１は、ダウンロードに利用可能な特定のツールを更に含むことができ、そのようなツールは医療デバイス３１、３２の管理を容易にする。
【００５１】
ウェブベースのサービスによって、サービス中心型のアーキテクチャが提供される。サービスは、ソフトウェアコンポーネントの容易なアップグレード及び展開を可能にする。薬剤ライブラリサーバー１は、クライアントアカウント、コンタクト、ステータス報告及び管理を集中型で保持する。これによって、病院等のローカルヘルスケア環境ドメインにおけるインストールが回避される。集中型サービスによって、集中型の製品制御及びライセンス供与も可能になり、サービス運用者がターゲットマーケティングを行い、使用統計を取得し、的を絞った利用サービスを提供することも可能になる。薬剤ライブラリサーバー１によって、標準化された方法で薬剤ライブラリを容易に作成してオンラインで共有することができる。薬剤ライブラリの作成のためにテンプレートを利用可能とすることができる。ウェブベースのサービスによって、特定のヘルスケア環境３内の、更には幾つかのヘルスケア環境３にわたる薬剤ライブラリを最新状態に維持するための配信及びアップグレードが大幅に容易になる。
【００５２】
図２は、薬剤ライブラリサーバー１の概略図を示す。既に示したように、薬剤ライブラリサーバー１は、ウェブサーバー１０と、ウェブインターフェースコンポーネントインターフェース１１と、データベースコンポーネントインターフェース１２とを保持する。ウェブサーバー１０を介して、薬剤ライブラリサーバー１は、公衆通信ネットワーク２、例えばインターネットへの接続を有する通信デバイス４０、４１、例えば任意の移動デバイスのウェブクライアント４００、４１０と通信する。ユーザーは、ウェブサーバー１０を介して、ウェブインターフェースコンポーネントインターフェース１１及びデータベースコンポーネントインターフェース１２にアクセスすることができる。
【００５３】
ウェブインターフェースコンポーネントインターフェース１１は、ウェブインターフェースコンポーネント１１０及びダウンロード可能なツール１１１等のリソースを含むファイルシステムへのアクセスを提供する。ダウンロード可能なツールは、例えば、デバイス制御アプリケーション１１２（いわゆるａｐｐ）又はデバイス位置特定ツール１１３とすることができる。
【００５４】
データベースコンポーネントインターフェース１２は、病院グループ１２０ａ、病院１２０ｂ及び／又は病棟（治療ユニット）１２０ｃ、構成１２２、薬剤ライブラリ１２３、治療エリア１２４、データセット１２５及びデバイスプロファイル１２６に関連付けられたクライアントプロファイル１２１に関するデータを含む様々なデータベースへのアクセスを提供する。
【００５５】
さらに、薬剤ライブラリサーバー１は、通信デバイス４０、４１へのダウンロードのために提供される製造者ツール１３を含むことができる。そのようなツールは中でも、例えば、ヘルスケア環境３内の医療デバイス３１、３２の位置特定を容易にするデバイス発見ツールとすることができ、その詳細については以下でより詳細に説明する。
【００５６】
ウェブベースのサービスは、外部システム５０（特定のデバイス製造者に対し外部）によって提供されるサービス、又は特定のデバイス製造者のサービス（製造者サービス５１）等の外部サービス５とインタラクトし、その外部サービス５を利用することもできる。外部サービス５によって、ユーザーは、（例えば、アメリカ国立医学図書館等の他のデータベースからの）外部情報を医療デバイス３１、３２にマッピングすることができる。アメリカ国立医学図書館としての外部サービス５０を、薬剤ライブラリサーバー１又は内部配信サーバー３４によって用いて、データを自動的に又は手動でインポートし、そのデータを、配信可能かつ医療デバイス３１、３２によって理解可能なデータセットに変換することができる。製造者サービス５１を、薬剤ライブラリサーバー１又は内部配信サーバー３４によって用いて、配信可能かつ医療デバイス３１、３２によって理解可能なデータセットを自動的に又は手動でインポートすることができる。双方の場合に、ユーザーは、薬剤ライブラリサーバー１又は内部配信サーバー３４とインタラクトして、データセットをインポート、変更及びエクスポートすることができる。
【００５７】
続いて、図３〜図１６に従って、ウェブベースのサービス内でのプロファイル及びデータの作成、共有及び転送についてより詳細に説明する。
【００５８】
図３に示すように、ユーザー６は、薬剤ライブラリサーバー１によって提供されるウェブベースのサービス内で、ユーザープロファイルを作成及び更新し（Ａ１）、サービスプロファイルを作成及び更新し（Ａ２）、病院プロファイルを作成及び更新する（Ａ３）ことができる。そのようなプロファイルは、個々のユーザー（Ａ１）、治療ユニット（Ａ２）又は病院全体（Ａ３）又は病院運営機構に関係する。ユーザープロファイル内で、例えば、氏名、電子メールアドレス、位置、サービス及び病院を指定することができる。治療ユニットプロファイル内で、特定の治療ユニットに属する様々なユーザーを指定することができる（Ａ２）。ユーザーがサービスプロファイルに加えられると、そのユーザーのユーザープロファイルが、場合によってはユーザー及び治療ユニットのプライバシー制御設定に応じて、治療ユニットの他のユーザーに対し公開される。病院プロファイルは、例えば、病院に属する様々な治療ユニット及び／又はユーザーを指定することができる（Ａ３）。病院プロファイル内で指定される治療ユニットは、互いに公開されている。
【００５９】
薬剤ライブラリサーバー１にアクセスするとき、ユーザー６は自由にプロファイルを作成し、又はプロファイルに関係するデータを変更することができる。このために、ユーザー６は、ユーザー名及びパスワードを用いることによって薬剤ライブラリサーバー１にアクセスすることができる。任意の通信デバイス４０、４１、例えばＰＤＡ（スマートデバイス）又は別の移動デバイスによって、本明細書におけるユーザー６は、公衆通信ネットワーク２、例えばインターネットにアクセスを有するならば、任意の場所から薬剤ライブラリサーバー１にアクセスすることができる。
【００６０】
図４に示すように、特定のユーザー６に関係するユーザーアカウント（Ｂ１）は、ユーザープリファレンス（Ｂ３）と、ユーザー名、電子メールアドレス又は特定のヘルスケア環境３内のユーザーの位置等のユーザーの詳細（Ｂ４）と、機関（institution）（米国では「施設（facility）」と呼ばれる）（Ｂ２）とに関するデータを含むことができる。本明細書における機関は、その機関の名称と、治療ユニットのリストと、その機関に属するユーザーと、その機関の住所と、その機関に関連付けられるユーザーアカウントのリストによって規定することができる。
【００６１】
ユーザーアカウント（Ｂ１）は、いわゆる協働者（Ｃ１）のリストを更に含むことができる。図５に概略的に示すように、ユーザー６は、ユーザー（Ｃ６）、治療ユニット（Ｃ５）、機関（Ｃ４）又はヘルスケアグループ全体（Ｃ３）等の協働エンティティを指定することができる。例えば、そのような協働設定を用いて、全ての協働エンティティが、例えば薬剤ライブラリの更新が利用可能になると、全ての協働エンティティにわたって薬剤ライブラリを容易に最新に維持することができるように自動的に通知されるという点で、協働者間でデータを容易に共有することができる。ユーザーアカウント（Ｃ６）は、例えば、治療ユニット（Ｃ５）、機関（Ｃ４）及び／又はヘルスケアグループ全体（Ｃ３）と協働するように設定することができ、ヘルスケアグループ（Ｃ３）は、互いに協働する幾つかの病院を含むことができる。また、製造者との協働を規定することができる（Ｃ２）。本明細書における製造者は、事前に作成された薬剤ライブラリの役割を規定することができる。製造者を協働者のリストに加えることによって、製造者から生じる新たに作成された薬剤ライブラリ又は薬剤ライブラリの更新を、協働エンティティにわたって配信することができる。
【００６２】
これに関して、ユーザーアカウント６は、そのユーザーがデータを共有する能力に影響を与えることができる様々なレベルの階層に所属することができる。例えば、幾つかの病院を含むヘルスケアグループの主任薬剤師は、「ヘルスケアグループ」タイプのプロファイルに所属することができ、このため、特定のヘルスケアグループに属する全ての病院施設にデータを公開することを可能にされ得る。特定の病院の病院薬剤師は、「病院」タイプのプロファイルを有する場合があり、ヘルスケアグループ内の全ての病院にデータを公開することはできないが、特定の病院内にのみ公開することができる。病院薬剤師は、例えば、主任薬剤師によって公開されたデータを取得し、このデータを特定の施設の設定に適合させることができる。このメカニズムを治療ユニット及び病棟レベルまで掘り下げて、「治療ユニット」タイプのプロファイルに関連付けられたユーザーが、特定の治療ユニットのみにわたってデータを公開することを許可されるようにする。
【００６３】
図６に示すように、ユーザー６は、薬剤ライブラリを作成することもできるし（Ｄ１）、薬剤ライブラリを共有することもできるし（Ｄ２）、薬剤ライブラリを購入することもできるし（Ｄ３）、薬剤ライブラリをダウンロードすることもできる（Ｄ４）。さらに、ユーザー６は、外部情報、例えば、薬剤の他の製造者又は提供者から入手可能な、例えば適合性、シリンジ及び希釈に関する情報を、薬剤ライブラリにマッピングするために外部サービス５（図１及び図２を参照）に接続することができる。
【００６４】
ユーザー６は、完全に新しい薬剤ライブラリを作成することもできるし、既存の薬剤ライブラリを他のユーザーと共有することもできる。さらに、ユーザーは、外部の薬剤ライブラリ作成者から薬剤ライブラリを購入することができる（Ｄ３）。薬剤ライブラリを作成又は編集するために、ユーザー６は、自身のユーザー名及びパスワードを用いて薬剤ライブラリサーバー１にアクセスし、自身のクライアント空間に誘導され、このクライアント空間において、ユーザーが関連付けられている薬剤ライブラリを表示される。ユーザーは、クライアント空間内で、薬剤ライブラリを作成、編集、管理、購入及び共有することを許可される。
【００６５】
薬剤ライブラリは、医療デバイス上にインストールされ、患者に薬剤を投与するのを容易にする。このために、インストーラー７は、薬剤ライブラリサーバー１から薬剤ライブラリをダウンロードして、薬剤ライブラリデータを医療デバイス３１、３２に転送することができる。インストーラー７は、薬剤ライブラリを作成するユーザー（作成者）６と異なる場合がある。特に、インストーラー７は、自身が編集を許可されていない他のユーザー６の薬剤ライブラリをダウンロードすることを許可される場合がある。
【００６６】
医療デバイス３１、３２への薬剤ライブラリデータの転送をどのように達成することができるかを、以下により詳細に説明する。
【００６７】
ユーザー６は、いわゆる構成を更に作成することができる。本明細書における構成は、医療デバイス３１、３２に適用される１組の規則である。構成において規定されるパラメーターは、例えば、それぞれの医療デバイス３１、３２の表示エリアをカスタマイズする役割を果たすこともできるし、そのような医療デバイス３１、３２のセキュリティ特徴のための設定を規定することもできる。
【００６８】
ユーザー６は、構成テンプレートを取得することもできるし（Ｅ１）、構成を作成することもできるし（Ｅ２）、構成を共有することもできるし（Ｅ３）、構成をダウンロードすることもできる（Ｅ４）。本明細書におけるテンプレートは、薬剤ライブラリサーバー１上に収容されるウェブベースのサービスのナレッジベースを用いて作成者に利用可能にされるべきである。医療デバイス３１、３２、例えば輸液ポンプ３２は、例えばこの関連において、製品タイプ及びソフトウェアバージョンによって記述される。本明細書における、製品番号又はシリアル番号等の一意の識別子に基づく製造データは、正しいカスタム化テンプレートを取得するために、ユーザー６によって参照可能とすることができる。構成は、医療デバイス３１、３２上に構成データをインストールするためにインストーラー７によってダウンロードすることができる。
【００６９】
図８に示すように、ユーザー６は、いわゆる治療エリアを更に作成することもできるし（Ｆ１）、治療エリアを除去することもできるし（Ｆ２）、治療エリアを公開することもできるし（Ｆ３）、治療エリアをダウンロードすることもできる（Ｆ４）。本明細書における治療エリアは、構成及び薬剤ライブラリの組み合わせであり、ヘルスケア環境３のサブエリア、例えば病院の病棟に関係することができる。治療エリアによって、例えば、構成及び薬剤ライブラリの特定の組み合わせを、特定のサブエリア、例えば特定の病棟内に配置される医療デバイス３１、３２に関連付けることが可能であり、それによって、そのようなサブエリア内に位置する全ての医療デバイス３１、３２が同じ構成及び薬剤ライブラリ設定を適用する。
【００７０】
様々な治療エリアは、ヘルスケア環境３全体、例えば病院全体の構造を表すデータセットを形成するように更にグループ化することができる。データセットの組成を図９に示す。この特定の例では、病院レベルにおいて、最大１９個の治療エリアが属することができる（Ｇ２）１つのデータセットが存在する（Ｇ１）。本明細書における治療エリアは病棟レベルを表し、病院の様々な病棟又は科に関係する（Ｇ２）。デバイスレベルにおいて、１つの薬剤ライブラリ（Ｇ３）及び１つの構成（Ｇ４）が各治療エリアに関連付けられる。薬剤ライブラリは、薬剤に関するデータ（Ｇ５）と、その薬剤の投与のパラメーター（Ｇ６）とを含む。
【００７１】
図９に示すように、病院施設レベルにおいて、病院全体の構造をマッピングする１つのデータセット（Ｇ１）のみが存在する場合があるが、ユーザーは複数のデータセットを作成、編集及び共有することができる。図１０に示すように、ユーザー６は、データセットを作成することもできるし（Ｈ１）、データセットを除去することもできるし（Ｈ２）、データセットを公開することもできるし（Ｈ３）、データセットをダウンロードすることもできる（Ｈ４）。さらに、ユーザー（作成者）６と異なるインストーラー７が、データセットをヘルスケア環境３内にインストールするために、そのデータセットを編集可能でない状態でダウンロードすることができる。
【００７２】
ウェブベースのサービスは、ヘルスケア環境ドメインの外部で動作する。したがって、ウェブベースのサービスは、病院等の特定のヘルスケア環境３内の医療デバイス３１、３２の設置に関する情報を収集するのを容易にする、ダウンロードのためのツールをユーザーに提供する。特に、ユーザー６は、図１１に示すように、特定のヘルスケア環境３内の医療デバイス３１、３２の位置特定を可能にするデータを収集する役割を果たすデバイス発見ツールをダウンロードすることができる（Ｉ１）。図１１に示すように、ユーザー６は、ヘルスケア環境３内でデバイス発見ツールを実行した後、デバイス発見データを薬剤ライブラリサーバー１に更にアップロードすることができ（Ｉ２）、デバイス発見データを見直すことができ（Ｉ３）、医療デバイス３１、３２をサービスに割り当てることができる（Ｉ４）。
【００７３】
デバイス発見ツールは、特定のヘルスケア環境３内の通信デバイス４１（図１を参照）上にダウンロードされた後、実行される。本明細書におけるデバイス発見ツールを用いて、輸液ポンプ３２のための通信バックボーンとしての役割を果たすラック３１を求めてヘルスケア環境３のローカルネットワーク３３を検索することができ、ラック３１のログファイルからデータを抽出して、ラック３１に現在接続されているか又は以前に接続されていた輸液ポンプ３２に関するデータを取得することができる。これに関して、ラック３１への輸液ポンプ３２の各接続は、ラック３１のログファイル内に輸液ポンプ３２のシリアル番号／製品番号を含むメッセージのログをとることができる。このデータをデバイス発見ツールによって抽出して、ヘルスケア環境３内の輸液ポンプ３２の使用に関する情報を提供することができる。ログファイルから抽出されるデータは、ウェブインターフェースパラメーター設定によって以前に設定された、ラック３１内に記憶される位置特定データと組み合わせることができる。次に、ネットワーク３３上の全てのラック３１にわたって抽出された結果データが、更なる解析のために、薬剤ライブラリサーバー１、特に、薬剤ライブラリサーバー１におけるユーザーのクライアント空間にアップロードされる。
【００７４】
図１２に示すように、ユーザー６は、例えばヘルスケア環境３内の配信サーバー３４（図１を参照）上にインストールされたデバイス発見ツールとの関連で、医療デバイス３１、３２を列挙するデバイスリストを構成することができ（Ｊ１）、デバイススキャンを実行することができ（Ｊ２）、結果ファイルを解析及び検証することができ（Ｊ３）、結果ファイルを薬剤ライブラリサーバー１にアップロードすることができる（Ｊ４）。
【００７５】
デバイス発見ツールによって、位置特定情報を、医療デバイス３１、３２と、治療ユニット又は病院内のそれらの医療デバイスの移動とに関連付けることができる。この情報を用いて、例えば、サービスに割り当てられた全ての医療デバイス３１、３２及びそれらの移動範囲を列挙することによって、病院の構造をマッピングすることができる。
【００７６】
さらに、ヘルスケア環境３内の特定の医療デバイス３１、３２のロケーションに依拠して、その特定の医療デバイス３１、３２に治療エリアを自動的に割り当てることができる。例えば、治療ユニット内の病棟内の特定の病室内のラック３１に取り付けられた輸液ポンプ３２は、このロケーションにマッピングされた特定の治療エリアを自動的にプロンプトすることができる。
【００７７】
図１３に示すように、医療デバイス３１、３２をカテゴリ分けすることができる。本明細書における最上位カテゴリは全てのデバイス（Ｋ１）である。次に、そのようなデバイスは、輸液デバイス（Ｋ２）、及びラック３１に取り付けられた輸液デバイス３２のための通信リンクとしての役割を果たすラック３１等の通信デバイス（Ｋ５）としてカテゴリ分けすることができる。輸液デバイス（Ｋ２）は、シリンジポンプ（Ｋ３）及び容積ポンプ（Ｋ４）に更にカテゴリ分けすることができる。特定の製造者の特定の輸液デバイス製品に関係する更なるサブカテゴリが存在する場合がある。デバイスデータは、薬剤ライブラリサーバー１のデータベースコンポーネントインターフェース１２を介してアクセスすることができる。特に医療デバイス３１、３２は、デバイスプロファイルデータベース１２６（図２を参照）において指定することができ、デバイスタイプ、バージョン、シリアル番号、製造日、製品ＩＤ及びソフトウェアバージョンに関するデータを含むことができる。さらに、ヘルスケア環境３内の医療デバイス３１、３２の位置特定に関するデータは、病院施設名、治療ユニット名、病棟名、病室名、ベッド名又はベッド番号及び在庫番号に関するデータを含むデバイス位置特定データベースに記憶され、このようにして病院内の医療デバイス３１、３２の正確なロケーションを指定する。
【００７８】
デバイスマネージャー又は在庫マネージャーを用いて、バーコードを医療デバイス３１、３２に取り付けるために、静的バーコードを生成するか又は（外部ツールを用いて生成された）静的バーコードを記録することができる。デバイスマネージャーは、例えば、病院ローカルネットワーク３３（例えば、ローカルエリアネットワーク）に接続された医療デバイス３１、３２を自動的に記録するデバイス発見ツールを更に備える。デバイス発見ツールを用いて、医療デバイス３１、３２に取り付けられるバーコードを生成することもできる。この点に関するバーコードは、ラック３１又は輸液ポンプ３２に属することができ、ラック３１又は輸液ポンプ３２に関連付けられたウェブインターフェースへのリンクを確立する役割を果たすことができる。そのようなバーコードは、例えば、ラック３１若しくは輸液ポンプ３２に直接リンクされたバーコードリーダー、スマートバーコドリーダ、又は、ＰＤＡ（スマートデバイス）若しくは別の移動デバイス等の通信デバイス４０、４１によってスキャンすることができる、いわゆるＱＲコード（登録商標）として提供することができる。バーコードは、例えば、それぞれの医療デバイス３１、３２と関連付けられたウェブインターフェースへの通信リンクを確立することを可能にする、ホスト名、ＭＡＣアドレス又は静的ＩＰアドレス等の一意の識別子を含むことができる。
【００７９】
図１４に示すように、ユーザー６は、デバイス発見ツールによって、例えばデバイススキャンが行われた後、特定の医療デバイス３１、３２の位置特定を操作し保存することができる（Ｌ１）。医療デバイス３１、３２を、その医療デバイスの関連付けられたウェブインターフェースにリンクする、ホスト名又は静的ＩＰアドレス等の一意の識別子を含む医療デバイス３１、３２の位置特定が設定されると、バーコードを生成し（Ｌ２）、保存及び印刷し（Ｌ３）、それぞれの医療デバイス３１、３２に取り付ける（Ｌ４）ことができる。
【００８０】
そのようなバーコード８の例が図１５に示される。この特定の例のバーコード８は、静的ＩＰアドレス、病院名、病棟名、病室番号、ベッド番号及び在庫ＩＤの形態の一意の識別子を含む、右側に示すデータを符号化する。携帯用デバイス（例えば、移動電話、ＰＤＡ、タブレットＰＣ等）等の通信デバイス４０、４１によるバーコード８のスキャンにより、携帯用デバイスのディスプレイ上に、バーコード８内に含まれる情報が表示される。次に、携帯用デバイスが病院ローカルネットワーク３３上にあるならば、（携帯用デバイスがタッチスクリーンを含む場合）携帯用デバイスのディスプレイをタップすることによって、ユーザー６はそれぞれの医療デバイス３１、３２のウェブインターフェースに進む。
【００８１】
バーコード８は、医療デバイス３１、３２の画面上にも直接表示することができる。この場合、バーコード８は静的又は動的とすることができる。静的バーコードの場合、バーコード値は、デバイスマネージャーに従って医療デバイス３１、３２における特定のツールによって設定される。静的バーコードの場合、デバイスマネージャーは、医療デバイス３１、３２を識別する一意の識別子（例えばシリアル番号又はＭＡＣアドレス）及び関連するバーコードを用いて情報を記憶する。動的バーコードの場合、バーコード８は、医療デバイス３１、３２によって直接（例えば、一意の識別子及びタイムスタンプを用いることによって、又は乱数発生器によって）、又は配信サーバー３４によって生成することができる。後者の場合、配信サーバー３４は、関連付けられたバーコード８において、医療デバイス３１、３２の一意の識別子の追跡を担当する。
【００８２】
医療デバイス３１、３２のウェブインターフェースにアクセスすることによって、医療デバイス３１、３２の設定を編集することができる。さらに、ウェブインターフェースにアクセスすることによって、医療デバイス３１、３２にデータをインストールするために、配信サーバー３４から取得した薬剤ライブラリデータを医療デバイス３１、３２に転送することができる。
【００８３】
このために、第１のステップにおいて、場合によっては、新たに公開されたデータセット、治療エリア、薬剤ライブラリ又は構成の通知の後に、ユーザー６によって携帯用デバイス等の通信デバイス４０、４１に或る特定の薬剤ライブラリがダウンロードされる。ユーザー６は、通信デバイス４０、４１にデータをダウンロードすると、このデータを、図１６に示すようなシーケンスを用いて医療デバイス３１、３２に転送する。ここで、まず、ユーザー６はデータの転送先の医療デバイス３１、３２上のバーコード８、この特定の例では、ラック３１上のバーコード８をスキャンする（ステップＳ１）。バーコード８のスキャン時に、ユーザー６はラック３１のウェブインターフェースに誘導され（ステップＳ２）、ウェブインターフェースによって、データをラック３１に転送する（ステップＳ３）。データがラック３１上に設置されたウェブサーバー等の通信インターフェース３１０を介してラック３１に転送されると（ステップＳ４）、ユーザー６は、通信インターフェース３１０を介してそれぞれのコマンドを入力することによって、ラック３１に取り付けられた輸液デバイス３２へのデータの配信を開始することができる。通信インターフェース３１０は次に、それに応じてラック３１に通知する（ステップＳ５、Ｓ６及びＳ７）。
【００８４】
このシーケンスを用いることによって、輸液ポンプ３２が薬剤を患者に点滴している最中に、薬剤ライブラリデータが輸液ポンプ３２に転送されないことを確実にすることができる。このために、ユーザー６はまず、自身の通信デバイス４０、４１にインストールされるデータをダウンロードし、次にこのデータを、ラック３１を介してそれぞれの輸液デバイス３２に転送する。
【００８５】
一方、携帯用デバイス、例えばＰＤＡ又は移動電話等の別個の通信デバイス４０、４１を介して迂回することなく、薬剤ライブラリサーバー１から医療デバイス３１、３２にデータを直接転送することも可能である。
【００８６】
代替的に、例えば、図１に示すような内部配信サーバー３４がヘルスケア環境３内に位置することができ、ローカルネットワーク３３に接続することができる。内部配信サーバー３４は、新たな薬剤ライブラリデータ、例えば新たに公開されたデータセット、治療エリア、薬剤ライブラリ又は構成等が薬剤ライブラリサーバー１において利用可能なときはいつでも、薬剤ライブラリサーバー１から薬剤ライブラリデータをダウンロードする役割を果たす。
【００８７】
内部配信サーバー３４は、ヘルスケア環境３内に位置するラック３１及び輸液デバイス３２等の全ての医療デバイス３１、３２のリストを含む。輸液デバイス３２等の医療デバイスがローカルネットワーク３３に接続されるときはいつでも、内部配信サーバー３４はデバイスの以前に記憶されたリストに対し医療デバイスを検証し、医療デバイス３１、３２上に現在インストールされているデータのバージョン、及び新たに公開されたデータとの医療デバイスの適合性をチェックする。新たに公開されたデータが医療デバイス３１、３２と適合する場合、内部配信サーバー３４は、医療デバイス３１、３２がローカルネットワーク３０に接続されると医療デバイス３１、３２にデータを転送し、トランザクションのログをとる。
【００８８】
内部配信サーバー３４の使用は、医療デバイス３１、３２へのデータの移動を、通信デバイス４０、４１を伴う追加のステップを必要とすることなく自動で行うことができるという利点を有する。プロセスはユーザーにトランスペアレントであり、最小限のユーザーインタラクションを含む。
【００８９】
さらに、内部配信サーバー３４は、内部配信サーバー３４上にインストールされたウェブサーバーを備えることができる。ウェブサーバーは、特定の医療デバイス３１、３２に関係するトランザクションのステータスに関する情報を通信及び中継するように構成することができる。ウェブサーバーは、ヘルスケア環境３内に設置された医療デバイス３１、３２の明確に規定されたリストを必要とし、例えば、医療デバイス３１、３２上に現在インストールされている薬剤ライブラリのバージョンをユーザーに通信することを可能にされる。
【００９０】
本発明の着想は、上記で説明された実施形態に限定されない。
【００９１】
パブリックドメイン内、例えばインターネット上に位置する上記で説明した種類の薬剤ライブラリサーバーを介して提供されるウェブベースのサービスによって、特定のヘルスケア環境、例えば病院内で、更には別個のヘルスケア環境間、例えば異なる病院間で薬剤ライブラリデータを容易に配信及び共有することが可能になる。
【００９２】
ＸＭＬ又はＪＳＯＮ／ＢＳＯＮフォーマット等の標準化されたフォーマットにおいて薬剤ライブラリデータを出力することによって、ウェブベースのサービスは様々な製造者の医療デバイスとともに機能することができる。
【００９３】
データは、例えば、スマートポンプ／静脈内投薬（IV medication）のためのいわゆるＨＬ７／ＩＨＥ表現及びＨＩＢＣバーコード化規格から既知であるような、薬剤のパラメーター化の既存の定義を用いてパラメーター化することができる。
【符号の説明】
【００９４】
１  薬剤ライブラリサーバー
１０  ウェブサーバー
１１  通信インターフェース（ウェブインターフェースコンポーネントインターフェース）
１１０  ウェブインターフェースコンポーネント
１１１  ダウンロード可能なツール
１１２  デバイス制御
１１３  デバイス位置特定
１２  データベースコンポーネントインターフェース
１２０ａ  病院グループ
１２０ｂ  病院
１２０ｃ  病棟
１２１  クライアントプロファイル
１２２  構成
１２３  薬剤ライブラリ
１２４  治療エリア
１２５  データセット
１２６  デバイスプロファイル
１３  製造者ツール
２  公衆通信ネットワーク
３  ヘルスケア環境
３０  インターフェース
３１  医療デバイス（ラック）
３１０  通信インターフェース（ウェブサーバー）
３２  医療デバイス（輸液ポンプ）
３３  ローカルネットワーク
３４  内部配信サーバー
４０  通信デバイス（携帯用デバイス）
４００  ウェブクライアント
４１  通信デバイス（外部デバイス）
４１０  ウェブクライアント
４１１  デバイス発見ツール
５  外部サービス
５０  外部システム
５１  製造者サービス
６  ユーザー
７  インストーラー
８  バーコード
８１  情報
Ａ１〜３、Ｂ１〜３、Ｃ１〜６、Ｄ１〜４、Ｅ１〜４、Ｆ１〜４、Ｇ１〜６、Ｈ１〜４、Ｉ１〜４、Ｊ１〜４、Ｋ１〜５、Ｌ１〜４  特徴
Ｓ１〜Ｓ７  ステップ
【図１】
0006427114.tif 000002
【図２】
0006427114.tif 000003
【図３】
0006427114.tif 000004
【図４】
0006427114.tif 000005
【図５】
0006427114.tif 000006
【図６】
0006427114.tif 000007
【図７】
0006427114.tif 000008
【図８】
0006427114.tif 000009
【図９】
0006427114.tif 000010
【図１０】
0006427114.tif 000011
【図１１】
0006427114.tif 000012
【図１２】
0006427114.tif 000013
【図１３】
0006427114.tif 000014
【図１４】
0006427114.tif 000015
【図１５】
0006427114.tif 000016
【図１６】
0006427114.tif 000017